(57)【要約】      （修正有）【課題】ワイピング掃除具を端末本体に保持でき、未使用フォンジャックを閉塞できるダミープラグを提供する。【解決手段】携帯する端末本体５１、フォンジャック５２及びタッチパネル５３を含んで構成される携帯通信端末Ｙにおいて、プラグ軸体１、ワイピング掃除具２を備え、プラグ軸体１はフォンジャック５２内に挿入又はフォンジャック５２内から取外され、フォンジャック５２内の挿入に伴って、フォンジャック５２を閉塞する。ワイピング掃除具２は、プラグ軸体１に取付けられ、端末本体５１表面に摺接されて、タッチパネルを含む端末本体５１表面の汚れを拭き取る。【選択図】図６
0003173301.tif 000002
【実用新案登録請求の範囲】
【請求項１】
携帯する端末本体、前記端末本体内に設置するジャックプラグ、及び前記端末本体表面に配置され、前記端末本体の携帯者による画面接触操作の位置情報を入力するタッチパネルを含んで構成される携帯通信端末において、
前記フォンジャックを閉塞するダミープラグであって、
プラグ軸体と、ワイピング掃除具を備え、
前記プラグ軸体は、
前記フォンジャック内に挿入又は前記フォンジャック内から取外され、
前記フォンジャック内の挿入に伴って、前記フォンジャックを閉塞してなり、
前記ワイピング掃除具は、
前記プラグ軸体に取付けられ、
前記端末本体表面に摺接されて、前記タッチパネルを含む端末本体表面の汚れを拭き取る
ことを特徴とするダミープラグ。
【請求項２】
前記ワイピング掃除具は、
ストラップ体、及びワイピング体を備え、
前記ストラップ体は、
前記プラグ軸体に取付けられる紐状材を有し、
前記ワイピング体は、
前記紐状材に連結され、前記紐状材を通じて前記プラグ軸体に吊下げられ、
少なくとも一部に、極細繊維で構成され、前記タッチパネルを含む端末本体表面の汚れを拭き取るワイピング布を有してなる
ことを特徴とする請求項１に記載のダミープラグ。
【請求項３】
前記ワイピング掃除具は、
ストラップ体、及びワイピング体を備え、
前記ストラップ体は、
前記プラグ軸体に取付けられ、弾性を有する樹脂を螺旋状に巻回して形成される伸縮自在な螺旋線材を有し、
前記ワイピング体は、
前記螺旋線材に連結され、前記螺旋線材を通じて前記プラグ軸体に吊下げられ、
少なくとも一部に、極細繊維で構成され、前記タッチパネルを含む端末本体表面の汚れを拭き取るワイピング布を有してなる
ことを特徴とする請求項１に記載のダミープラグ。
【請求項４】
前記ワイピング掃除具は、
前記プラグ軸体の一軸端に取付けてなる
ことを特徴とする請求項１に記載のダミープラグ。
【請求項５】
前記ワイピング清掃具は、
極細繊維で構成され、前記タッチパネルを含む端末本体表面の汚れを拭き取るワイピング布を有してなる
ことを特徴とする請求項１又は４に記載のダミープラグ。
【請求項６】
携帯される端末本体、及び前記端末本体内に設置されるフォンジャックを含んで構成される携帯通信端末において、
前記フォンジャックを閉塞するダミープラグであって、
プラグ軸体と、ワイピング掃除具を備え、
前記プラグ軸体は、
前記フォンジャック内に挿入又は前記フォンジャック内から取外され、
前記フォンジャック内の挿入に伴って、前記フォンジャックを閉塞してなり、
前記ワイピング掃除具は、
前記プラグ軸体に取付けられ、
前記端末本体表面に摺接されて、前記端末本体表面の汚れを拭き取る
ことを特徴とするダミープラグ。
【考案の詳細な説明】
【技術分野】
【０００１】
本考案は、ＰＤＡ（Personal Data Assistance）機能付き携帯電話（スマートフォン）、ＰＤＡ（Personal Data Assistance）、及びタブレットＰＣ、携帯ゲー機、携帯電話等の携帯通信端末において、端末本体表面の汚れを拭き取るワイピング掃除具を備えるダミープラグに関する。
【背景技術】
【０００２】
近年、携帯電話等の携帯通信端末において、ＰＤＡ機能付き多機能携帯電話（スマートフォン）が開発されている。
スマートフォンの技術として、特許文献１はタッチパネル機能を有するスマートフォンを開示する。特許文献１のスマートフォンは、端末本体のケーシング内にディスプレイ装置を配置し、ディスプレイ装置表面側にタッチパネル機能を有する保護パネルを配置している。保護パネルは、ケーシング表面を構成し、端末本体の携帯者による画面接触操作の位置情報を入力する。保護パネルには、携帯者の画面接触によって、携帯者の指の油脂、指紋等の汚れが付着する。
【０００３】
しかし、特許文献１では、タッチパネル表面の汚れを拭き取る掃除具、例えば、掃除具付き携帯ストラップを端末本体に取付ける取付穴を有していないので、保護パネルの汚れを拭き取る掃除具をスマートフォンとは別に携帯する必要があり、不便である。
【先行技術文献】
【特許文献】
【０００４】
【特許文献１】国際公開第２００８／０８１７１０号
【考案の概要】
【考案が解決しようとする課題】
【０００５】
本考案は、タッチパネル表面及び端末本体表面の汚れを拭き取るワイピング掃除具を端末本体に保持でき、しかも未使用フォンジャックを閉塞できるダミープラグを提供することにある。
【課題を解決するための手段】
【０００６】
本考案に係る請求項１は、携帯される端末本体、前記端末本体内に設置されるフォンジャック、及び前記端末本体表面に配置され、前記端末本体の携帯者による画像接触操作の位置情報を入力するタッチパネルを含んで構成される携帯通信端末において、前記フォンジャックを閉塞するダミープラグであって、プラグ軸体と、ワイピング掃除具を備え、前記プラグ軸体は、前記フォンジャック内に挿入又は前記ジャック内から取外され、前記ジャック内の挿入に伴って、前記ジャック内を閉塞してなり、前記ワイピング掃除具は、前記プラグ軸体に取付けられ、前記端末本体表面に摺接されて、前記タッチパネルを含む端末本体表面の汚れを拭き取ることを特徴とするダミープラグに関する。
請求項１において、携帯通信端末としては、ＰＤＡ（Personal Data Assistance）機能付き携帯電話（スマートフォン）、ＰＤＡ、タブレットＰＣ、携帯ゲーム機等であって、フォンジャック、及び端末本体の携帯者による画面接触操作の位置情報を入力するタッチパネルを含んで構成されるものである。なお、携帯通信端末は、一般的に、端末本体内に液晶又は有機ＥＬ等で構成され、画像等の視覚情報を表示する視覚表示ディスプレイを有し、視覚表示ディスプレイはタッチパネル裏面に配置される。端末本体の携帯者は、指でタッチパネルの画面に触れることで、タッチパネルを通して視覚表示ディスプレイの画面等を選択操作する。このとき、タッチパネルを含む端末本体表面には、携帯者の指の油脂、指紋等の汚れが付着する。
請求項１では、端末本体の携帯者は、プラグ軸体をフォンジャック内に挿入し、プラグ軸体及びワイピング清掃具を端末本体に保持する。タッチパネルを含む端末本体表面に汚れが付着すると、端末本体の携帯者は、プラグ軸体をフォンジャック内から取外し、プラグ軸体及びワイピング掃除具を端末本体から分離する。端末本体の携帯者は、ワイピング掃除具を端末本体表面に摺接して、タッチパネル表面又は端末本体表面の汚れを拭き取る。端末本体の携帯者は、タッチパネルを含む端末本体表面の汚れを拭き取ると、プラグ軸体をフォンジャック内に挿入して、プラグ軸体及びワイピング掃除具を端末本体に保持する。プラグ軸体は、フォンジャック内への挿入に伴って、フォンジャック内を端末本体外側から閉塞する。
【０００７】
本考案に係る請求項２は、前記ワイピング掃除具は、ストラップ体、及びワイピング体を備え、前記ストラップ体は、前記プラグ軸体に取付けられる紐状材を有し、前記ワイピング体は、前記紐状材に連結され、前記紐状材を通じて前記プラグ軸体に吊下げられ、少なくとも一部に、極細繊維で構成され、前記タッチパネルを含む端末本体表面の汚れを拭き取るワイピング布を有してなることを特徴とする請求項１に記載のダミープラグに関する。
請求項２では、端末本体の携帯者は、プラグ軸体をフォンジャック内から取外し、プラグ軸体、ストラップ体の紐状材及びワイピング体を端末本体から分離する。携帯者は、ワイピング体のワイピング布を端末本体表面に摺接して、タッチパネル表面及び端末本体表面の汚れを拭き取る。ワイピング布は、極細繊維で構成されているので、タッチパネル及び端末本体を傷つけることなく、確実に汚れを拭き取れる。ワイピング布としては、ポリエステル、ナイロン等の化学繊維又は天然繊維で、単糸繊度：１ｄｔｅｘ以下の極細繊維で構成する。携帯者は、タッチパネルを含む端末本体表面の汚れを拭き取ると、プラグ軸体をフォンジャック内に挿入し、プラグ軸体及びワイピング掃除具を端末本体に保持する。プラグ軸体はフォンジャック内への挿入に伴って、フォンジャック内を端末本体外側から閉塞する。ワイピング掃除具のワイピング体は、端末本体外側において、プラグ軸体及び紐状材を通じて端末本体に吊下げられる。
また、端末本体の携帯者は、プラグ軸体をジャック内に挿入した状態において、ストラップ体の紐状材の長さ範囲で、ワイピング体のワイピング布を端末本体表面に摺接して、タッチパネル表面及び端末本体表面の汚れを拭き取る。
【０００８】
本考案に係る請求項３は、前記ワイピング掃除具は、ストラップ体、及びワイピング体を備え、前記ストラップ体は、前記プラグ軸体に取付けられ、弾性を有する樹脂を螺旋状に巻回して形成される螺旋線材を有し、前記ワイピング体は、前記螺旋線材に連結され、前記螺旋線材を通じて前記プラグ軸体に吊下げられ、少なくとも一部に、極細繊維で構成され、前記タッチパネルを含む端末本体表面の汚れを拭き取るワイピング布を有してなることを特徴とする請求項１に記載のダミープラグに関する。
請求項３では、端末本体の携帯者は、プラグ軸体をフォンジャック内に挿入し、ストラップ体の螺旋線材及びワイピング体を端末本体に保持する。プラグ軸体はフォンジャック内への挿入に伴って、フォンジャック内は端末本体外側から閉塞する。ワイピング体は、端末本体外側において、プラグ軸体及び螺旋線材を通して端末本体に吊下げられる。端末本体の携帯者は、プラグ軸体をフォンジャック内に挿入した状態において、ワイピング体を把持し、ワイピング体を通して螺旋線材を伸縮することで、ワイピング体を端末本体表面（タッチパネル表面）の任意位置（汚れ箇所）に配置する。続いて、端末本体の携帯者は、ワイピング体のワイピング布を端末本体表面に摺接して、タッチパネル表面及び端末本体表面の汚れを拭き取る。
また、端末本体の携帯者は、プラグ軸体をフォンジャック内から取外し、ワイピング体のワイピング布を端末本体表面に摺接して、タッチパネル表面及び端末本体表面の汚れを拭き取る。
【０００９】
本考案に係る請求項４は、前記ワイピング掃除具は、前記プラグ軸体の一軸端に取付けてなることを特徴とする請求項１に記載のダミープラグに関する。
請求項４では、端末本体の携帯者は、プラグ軸体を他端側からフォンジャック内に挿入し、プラグ軸体及びワイピング掃除具を端末本体に保持する。プラグ軸体はフォンジャック内への挿入に伴って、フォンジャック内を端末本体外側から閉塞する。ワイピング清掃具は、プラグ軸体の一軸端において、端末本体外側に配置される。端末本体の携帯者は、プラグ軸体をフォンジャック内から取外し、プラグ軸体及びワイピング掃除具を端末本体から分離する。端末本体の携帯者は、プラグ軸体を把持し、ワイピング掃除具を携帯端末表面に摺接して、タッチパネル表面及び端末本体表面の汚れを拭き取る。
【００１０】
本考案に係る請求項５は、前記ワイピング掃除具は、極細繊維で構成され、前記タッチパネルを含む端末本体表面の汚れを拭き取るワイピング布を有してなることを特徴とする請求項１又は４に記載のダミープラグに関する。
請求項５では、端末本体の携帯者は、ワイピング掃除具のワイピング布を端末本体表面に摺接して、タッチパネルを含む端末本体表面の汚れを拭き取る。ワイピング布は、極細繊維で構成されているので、タッチパネル及び端末本体を傷つけることなく、確実に汚れを拭き取れる。ワイピング布としては、ポリエステル、ナイロン等の化学繊維又は天然繊維で、単糸繊度：１ｄｔｅｘ以下の極細繊維で構成する。
【００１１】
本考案に係る請求項６は、携帯される端末本体、前記端末本体内に設置されるフォンジャックを含んで構成される携帯通信端末において、前記フォンジャックを閉塞するダミープラグであって、プラグ軸体と、ワイピング掃除具を備え、前記プラグ軸体は、前記フォンジャック内に挿入又は前記フォンジャック内から取外され、前記フォンジャックの挿入に伴って、前記フォンジャックを閉塞してなり、前記ワイピング掃除具は、前記プラグ軸体に取付けられ、前記端末本体表面に摺接されて、前記端末本体表面の汚れを拭き取ることを特徴とするダミープラグに関する。
請求項６において、携帯通信端末としては、ＰＤＡ（Personal Data Assistance）機能付きスマートフォン、ＰＤＡ、タブレットＰＣ、携帯ゲーム機等に加えて、ＰＤＡ機能やタッチパネルを有しない携帯電話等であって、フォンジャックを含んで構成されるものである。なお、携帯通信端末は、一般的に、端末本体内に液晶又は有機ＥＬ等で構成され、画像等の視覚情報を表示する視覚情報ディスプレイを有し、視覚情報ディスプレイは端末本体表面に配置される。端末本体の携帯者は、指で端末本体（視覚表示ディスプレイ）表面に触れると、端末本体表面には携帯者の指の油脂、指紋等の汚れが付着する。
請求項６は、端末本体の携帯者は、プラグ軸体をフォンジャック内に挿入し、プラグ軸体及びワイピング掃除具を端末本体に保持する。端末本体表面に汚れが付着すると、端末本体の携帯者は、プラグ軸体をフォンジャック内から取外し、プラグ軸体及びワイピング掃除具を端末本体から分離する。端末本体の携帯者は、ワイピング掃除具を端末本体表面に摺接して、端末本体表面の汚れを拭き取る。端末本体の携帯者は、端末本体表面の汚れを拭き取ると、プラグ軸体をフォンジャック内に挿入し、プラグ軸体及びワイピング掃除具を端末本体に保持する。プラグ軸体は、フォンジャック内の挿入に伴って、フォンジャック内を端末本体外側から閉塞する。
【考案の効果】
【００１２】
本考案に係る請求項１によれば、プラグ軸体をフォンジャック内に挿入することで、プラグ軸体及びワイピング掃除具を端末本体に保持でき、端末本体の携帯者は、端末本体とは別に、ワイピング掃除具を携帯する必要がなくなる。また、プラグ軸体をフォンジャック内に挿入することで、未使用フォンジャック内を端末本体外側から閉塞でき、未使用フォンジャック内に埃、塵等が侵入することを防止できる。
端末本体の携帯者は、プラグ軸体をフォンジャック内から取外すことで、ワイピング掃除具を端末本体から分離でき、ワイピング掃除具を端末本体表面に摺接することで、タッチパネル表面及び端末本体表面の汚れを拭き取ることができる。そして、端末本体の携帯者は、タッチパネル表面等の汚れを拭き取ると、再び、プラグ軸体をフォンジャック内に挿入することで、ワイピング掃除具を端末本体の保持できる。これにより、端末本体の携帯者は、端末本体にダミープラグのプラグ軸体及びワイピング掃除具を一体化して携帯することができる。
【００１３】
本考案に係る請求項２によれば、請求項１の効果に加えて、プラグ軸体をフォンジャック内に挿入するとで、ワイピング体は、プラグ軸体及びストラップ体の紐状材を通じて端末本体に吊下げることができ、端末本体とは別に、ワイピング体を携帯する必要がなくなる。
端末本体の携帯者は、プラグ軸体をフォンジャック内から取外し、ワイピング体のワイピング布を端末本体表面に摺接することで、タッチパネル表面及び端末本体表面の汚れを拭き取ることができる。
また、端末本体の携帯者は、プラグ軸体をフォンジャック内に挿入した状態において、ストラップ体の紐状材の長さ範囲で、ワイピング体のワイピング布を端末本体表面に摺接して、タッチパネル表面及び端末本体表面の汚れを拭き取ることもできる。これにより、汚れ拭き取り中においても、フォンジャック内をプラグ軸体によって端末本体外側から閉塞でき、埃や塵等がフォンジャック内に侵入することを防止できる。
更に、ワイピング布は、極細繊維で構成されるので、タッチパネル及び端末本体を傷つけることなく、確実に汚れを拭き取ることができる。
【００１４】
本考案に係る請求項３によれば、請求項１の効果に加えて、プラグ軸体をフォンジャック内に挿入することで、ワイピング体は、プラグ軸体及びストラップ体の螺旋線材を通じて端末本体に吊下げることができ、端末本体とは別に、ワイピング体を携帯する必要がなくなる。
端末本体の携帯者は、プラグ軸体をフォンジャック内から取外し、ワイピング体のワイピング布を端末本体表面に摺接することで、タッチパネル表面及び端末本体表面の汚れを拭き取ることができる。
また、端末本体の携帯者は、プラグ軸体をフォンジャック内に挿入した状態において、ストラップ体の螺旋線材の伸縮する範囲で、ワイピング体のワイピング布を端末本体表面に摺接して、タッチパネル表面及び端末本体表面の汚れを拭き取ることもできる。これにより、汚れ拭き取り中においても、フォンジャック内をプラグ軸体によって端末本体外側から閉塞でき、埃や塵等がフォンジャック内に侵入することを防止できる。
更に、ワイピング布は、極細繊維で構成されるので、タッチパネル表面又は端末本体表面を傷つけることなく、確実に汚れを拭き取ることができる。
【００１５】
本考案に係る請求項４によれば、請求項１の効果に加えて、プラグ軸体をフォンジャック内に挿入することで、ワイピング掃除具は、プラグ軸体を通して端末本体に保持することができ、端末本体とは別に、ワイピング掃除具を携帯する必要がなくなる。
端末本体の携帯者は、プラグ軸体をフォンジャック内から取外し、ワイピング掃除具を端末本体表面に摺接することで、タッチパネル表面及び端末本体表面の汚れを拭き取ることができる。
【００１６】
本考案に係る請求項５によれば、ワイピング掃除具は極細繊維で構成されるので、タッチパネル及び端末本体を傷つけることなく、確実に汚れを拭き取ることができる。
【００１７】
本考案に係る請求項６によれば、プラグ軸体をフォンジャック内に挿入することで、プラグ軸体及びワイピング掃除具を端末本体に保持でき、端末本体の携帯者は、端末本体とは別に、ワイピング掃除具を携帯する必要がなくなる。また、プラグ軸体をフォンジャック内に挿入することで、フォンジャック内を端末本体外側から閉塞でき、未使用フォンジャック内に埃、塵等が侵入することを防止できる。
端末本体の携帯者は、プラグ軸体をフォンジャック内から取外すことで、ワイピング掃除具を端末本体から分離でき、ワイピング掃除具を端末本体表面に摺接することで、端末本体表面の汚れを拭き取ることができる。端末本体の携帯者は、端末本体表面の汚れを拭き取ると、再び、プラグ軸体をフォンジャック内に挿入することで、ワイピング掃除具を端末本体に保持できる。これにより、端末本体の携帯者は、端末本体にダミープラグのプラグ軸体及びワイピング掃除具を一体化して携帯できる。
【図面の簡単な説明】
【００１８】
【図１】第１実施形態のダミープラグを示す正面図である。
【図２】第１実施形態のダミープラグを示す一部断面図である。
【図３】第１実施形態のダミープラグのプラグ軸体を示す図である。
【図４】第１実施形態のダミープラグのワイピング掃除具を示す断面図である。
【図５】携帯通信端末を示す図である。
【図６】第１実施形態のダミープラグを携帯通信端末のフォンジャック内の挿入した状態を示す一部拡大断面図である。
【図７】第１実施形態のダミープラグを携帯通信端末のフォンジャック内の挿入した状態を示す全体図である。
【図８】第１実施形態のダミープラグを携帯通信端末のフォンジャック内から取外した状態を示す全体図である。
【図９】第２実施形態のダミープラグを示す正面図である。
【図１０】第２実施形態のダミープラグを携帯通信端末のフォンジャック内の挿入した状態を示す全体図である。
【図１１】第２実施形態のダミープラグを携帯通信端末のフォンジャック内から取外した状態を示す全体図である。
【図１２】第３実施形態のダミープラグを示す正面図である。
【図１３】第３実施形態のダミープラグを携帯通信端末のフォンジャック内の挿入した状態を示す全体図である。
【図１４】第３実施形態のダミープラグを携帯通信端末のフォンジャック内から取外した状態を示す全体図である。
【考案を実施するための形態】
【００１９】
本考案に係るダミープラグについて、図１乃至図１４を参照して説明する。
以下、第１乃至第３実施形態のダミープラグ（Ｘ１）、（Ｘ２）、（Ｘ３）について説明する。
【００２０】
図１乃至図１４において、第１乃至第３実施形態のダミープラグ（Ｘ１）〜（Ｘ３）は、携帯通信端末（Ｙ）のフォンジャック（５２）内を閉塞する機能、及び携帯通信端末（Ｙ）のタッチパネル（５４）を含む端末本体（５１）表面の汚れを拭き取る機能を兼ね備えている。
なお、説明の便宜上、携帯通信端末（Ｙ）の構成を説明した後、第１乃至第３実施形態のダミープラグ（Ｘ１）〜（Ｘ３）の構成について説明する。
【００２１】
＜携帯通信端末（Ｙ）＞
図５及び図６において、携帯通信端末（Ｙ）は、ＰＤＡ（personal Data Assistance）機能付き多機能携帯電話であって、スマートフォンで構成される。携帯通信端末（Ｙ）としては、ＰＤＡ（personal Data Assistance）、タブレットＰＣ（tablet personal Computer）、又は携帯ゲーム機等でも構成できる。
携帯通信端末（Ｙ：以下「スマートフォン」と称する）は、端末本体（５１）、フォンジャック（５２）、視覚表示ディスプレイ（５３）及びタッチパネル（５４）を含んで構成される。
【００２２】
端末本体（５１）は、図５及び図６に示すように、携帯できる薄厚、矩形状に形成され、外装体（５５）を備えている。端末本体（５１）は、ジャック用開口穴（５６）及び表示用窓穴（５７）を有し、ジャック用開口穴（５６）は、端末本体（５１）の外装体（５５）上側表面に開口している。表示用窓穴（５７）は、端末本体（５１）の外装体（５５）前側表面に開口している。端末本体（５１）は、スマートフォン（Ｙ）を使用・携帯する者（以下、「携帯者」と称する）に携帯される。
【００２３】
フォンジャック（５２）は、イヤフォン又はヘッドフォン等の音声出力器（図示しない）をスマートフォン（Ｙ）の制御装置（図示しない）に接続する。フォンジャック（５２）は、外装体（５５）上側表面のジャック用開口穴（５６）を通して端末本体（５１）内に設置される。フォンジャック（５２）は、図６に示すように、複数の電極端子（５２Ａ）、（５２Ｂ）、（５２Ｃ）を有している。各電極端子（５２Ａ）〜（５２Ｃ）は、スマートフォン（Ｙ）の上記制御装置に電気的に接続される。
電極端子（５２Ａ）は、図６に示すように、ステンレス鋼等の導電性材で円筒状に形成され、端末本体（５１）の外装体（５５）上側表面のジャック用開口穴（５６）内に配置される。電極端子（５２Ｂ）は、ステンレス鋼等の導電性材で板バネ状に形成され、端末本体（５１）のジャック用開口穴（５６）側で片持ち支持されている。電極端子（５２Ｂ）は、ジャック用開口穴（５６）側から端末本体（５１）内に延設されている。電極端子（５２Ｃ）は、ステンレス鋼等の導電性材で板バネ状に形成され、電極端子（５２Ｂ）に間隔を隔てて対峙されている。電極端子（５２Ｃ）は、端末本体（５１）のジャック用開口穴（５６）側で片持ち支持され、ジャック用開口穴（５６）から端末本体（５１）内に延設されている。
【００２４】
視覚表示ディスプレイ（５３）は、図５及び図６に示すように、液晶又は有機ＥＬ等の視覚表示パネル（５３Ａ）を有し、画像や文字等の視覚情報を表示する。視覚表示ディスプレイ（５３）は、図５に示すように、端末本体（５１）内に設置され、スマートフォン（Ｙ）の上記制御装置に電気的に接続されている。視覚表示パネル（５３Ａ）は、端末本体（５１）の表示用窓穴（５７）に対峙して配置される。
【００２５】
タッチパネル（５４）は、端末本体（５１）の携帯者による画面接触操作の位置情報を入力し、スマートフォン（Ｙ）の上記制御装置に出力する。タッチパネル（５４）は、視覚表示パネル（５３Ａ）表面に間隔を隔てて配置され、端末本体（５１）の外装体（５５）に取付けられる。タッチパネル（５４）は、表示用窓穴（５７）を被覆して、端末本体（５１）の外装体（５５）前側表面に配置される。なお、タッチパネル（５４）は、視覚表示パネル（５３Ａ）の画像や文字等の視覚情報を視認できる透明材料で形成される。
また、タッチパネル（５４）は、端末本体（５１）の外装体（５５）前側表面を構成している。
これにより、端末本体（５１）は、端末本体（５１）前側表面からタッチパネル（５４）、及び視覚表示パネル（５３Ａ）の順に重ねて配置し、端末本体（５１）の携帯者は、視覚表示パネル（５３）の視覚情報を、表示用窓穴（５７）及びタッチパネル（５３）を通して視認する。
【００２６】
＜第１実施形態＞
第１実施形態のダミープラグ（Ｘ１）について、図１及び図８を参照して説明する。
【００２７】
図１乃至図４において、第１実施形態のダミープラグ（Ｘ１）は、プラグ軸体（１）及びワイピング掃除具（２）を備えてなる。
【００２８】
プラグ軸体（１）は、スマートフォン（Ｙ）のフォンジャック（５２）内に挿入され、又はフォンジャック（５２）内から取外される。プラグ軸体（１）は、フォンジャック（５２）内の挿入に伴って、フォンジャック（５２）内を端末本体（５１）外側から閉塞する（図５及び図６参照）。
これにより、プラグ軸体（１）は、フォンジャック（５２）に対し、装着又は脱着自在（着脱自在）にされている。
【００２９】
プラグ軸体（１）は、図１乃至図３に示すように、第１軸体（３）、第２軸体（４）及びチップ軸体（５）を有し、各軸体（３）〜（５）は合成樹脂で一体形成される。
第１軸体（３）は、プラグ軸体（１）の一軸端を構成し、ストラップ用取付穴（６）を有している。ストラップ用取付穴（６）は、プラグ軸体（１）の一軸端側に配置され、プラグ軸体（１）の軸方向に直交する方向で第１軸体（３）を貫通している。
第２軸体（４）は、第１軸体（３）及びチップ軸体（５）間に配置され、チップ軸体（５）はプラグ軸体（１）の他軸端を構成している。
【００３０】
ワイピング掃除具（２）は、プラグ軸体（１）に取付けられ、端末本体（５１）表面に摺接されて、タッチパネル（５４）を含む端末本体（５１）表面の汚れを拭き取る（図７及び図８参照）。
ワイピング掃除具（２）は、図１及び図２に示すように、所謂、携帯ストラップとして構成され、ストラップ体（７）及びワイピング体（８）を備えてなる。
【００３１】
ストラップ体（７）は、紐状材（９）及び固定具（１０）を有し、紐状材（９）の一端側は第１軸体（３）のストラップ用取付穴（６）内に通されて、プラグ軸体（１）に取付けられている。固定具（１０）は、紐状材（９）を収納して、紐状材（９）を連結している。
【００３２】
ワイピング体（８）は、図１及び図２に示すように、ストラップ体（７）の紐状材（９）の他端側に連結され、紐状材（９）を通じてプラグ軸体（１）に吊下げられる。
ワイピング体（８）は、少なくとも一部に、タッチパネル（５４）を含む端末本体（５１）表面の汚れを拭き取るワイピング布（１１）を有してなる。
ワイピング体（８）は、図１、図２及び図４に示すように、裏面側ワイピング布（１１）、表面側装飾シート（１２）及びクッション材（１３）で構成する。ワイピング体（８）は、図４に示すように、裏面側ワイピング布（１１）及び表面側シート（１２）で収納空間（Ｋ）を形成し、収納空間（Ｋ）内にクッション材（１３）を収納している。
裏面側ワイピング布（１１）は、ポリエステル／ナイロン等の化学繊維又は天然繊維で、単糸繊度：１ｄｔｅｘ以下の極細繊維で構成される。なお、裏面側ワイピング布（１１）としては、不織布、織物布で構成できる。
表面側シート（１２）は、合成樹脂、合成ゴム又は織物布等で形成され、図柄等の装飾又は宣伝広告の文字、記号を施している。クッション材（１３）は、ウレタン樹脂、綿等で構成される。
なお、ワイピング体（８）は、例えば、動物、植物又は自動車等の装飾性を有する立体形状としても良く、少なくとも一部に、ワイピング布（１２）を有してなる。ワイピング体（８）において、表面側シート（１２）をワイピング布で構成しても良く、ワイピング体（８）をワイピング布（１１）のみで構成できる。
【００３３】
図５及び図６において、端末本体（５１）の携帯者は、ダミープラグ（Ｘ１）のプラグ軸体（１）及びワイピング掃除具（２）を端末本体（５１）に保持する。
端末本体（５１）の携帯者は、プラグ軸体（１）を外装体（５５）上側表面のジャック用開口穴（５６）からフォンジャック（５２）内に挿入する。このとき、プラグ軸体（１）は、図６に示すように、チップ軸体（５）側からフォンジャック（２）内に挿入される。
プラグ軸体（１）の第１軸体（３）は、図６に示すように、電極端子（５２Ａ）内に挿入され、電極端子（５２Ａ）に当接される。
プラグ軸体（１）の第２軸体（４）は、図６に示すように、電極端子（５２Ｂ）に当接され、電極端子（５２Ｂ）の付勢力（バネ力）で圧接される。
プラグ軸体（１）のチップ軸体（５）は、図６に示すように、電極端子（５２Ｃ）に当接され、電極端子（５２Ｃ）の付勢力（バネ力）で圧接される。
これにより、プラグ軸体（１）は、フォンジャック（５２）内に挿入されると、電極端子（５２Ａ）で保持され、しかも電極端子（５２Ｂ）、（５２Ｃ）間に挟まれて圧接保持されるので、フォンジャック（５２）内から容易に抜け落ちない。
また、プラグ軸体（１）は、フォンジャック（５２）内の挿入に伴って、フォンジャック（５２）内を端末本体（５１）外側から閉塞するので、埃や塵等はジャック用開口穴（５６）からフォンジャック（５２）内に侵入しない。
【００３４】
図６において、ワイピング掃除具（２）は、プラグ軸体（１）をフォンジャック（５２）内に挿入すると、端末本体（５１）外側に配置される。
ワイピング体（８）は、プラグ軸体（１）及びストラップ体（７）の紐状材（９）を通じて、端末本体（１）に吊下げられる。
これにより、ダミープラグ（Ｘ１）のプラグ軸体（１）及びワイピング掃除具（２）は、端末本体（１）に保持され、携帯者は、ワイピング掃除具（２）を端末本体（５１）とは別に、携帯する必要がなくなる。
端末本体（５１）の携帯者は、ダミープラグ（Ｘ１）のプラグ軸体（１）及びワイピング掃除具（２）を端末本体（１）に保持することで、端末本体（１）にダミープラグ（Ｘ１）を一体化して携帯できる。
【００３５】
図７において、端末本体（５１）の携帯者は、指で端末本体（５１）のタッチパネル（５４）に触れることで、画面接触操作を実行する。タッチパネル（５４）の画面接触操作では、携帯者の指の油脂、指紋等の汚れ（Ｄ）がタッチパネル（５４）を含む端末本体（５１）表面に付着する。
端末本体（５１）の携帯者は、図７に示すように、プラグ軸体（１）をフォンジャック（５２）内に挿入した状態において、ワイピング掃除具（２）のワイピング体（８）を把持する。続いて、携帯者は、ワイピング体（８）の裏面側ワイピング布（１１）を端末本体（５１）の外装体（５５）表面に摺接させて、タッチパネル（５４）を含む端末本体（５１）表面の汚れ（Ｄ）を拭き取る。
ワイピング体（８）は、図７に示すように、プラグ軸体（１）を基点としてストラップ体（７）の紐状材（９）の長さ範囲で、裏面側ワイピング布（１１）を任意の位置に配置して、タッチパネル（５４）表面、及び端末本体（５１）の外装体（５５）表面に摺接できる。
これにより、フォンジャック（５２）近傍において、タッチパネル（５４）を含む端末本体（５１）の外装体（５５）表面に付着した汚れ（Ｄ）は、プラグ軸（１）をフォンジャック（５２）内にから取外すことなく、ワイピング体（８）の裏面側ワイピング布（１１）で拭き取れる。また、汚れの拭き取り中においても、プラグ軸体（１）でフォンジャック（５２）内を端末本体（５１）外側から閉塞できるので、フォンジャック（５２）内に埃や塵等が侵入することを防止できる。
裏面側ワイピング布（１１）は、ポリエステル／ナイロン等の化学繊維又は天然繊維で、単糸繊度：１ｄｔｅｘ以下の極細繊維で構成されているので、端末本体（５１）の外装体（５５）表面及びタッチパネル（５４）表面を傷つけることなく、確実に汚れ（Ｄ）を拭き取れる。
【００３６】
図８において、端末本体（５１）の携帯者は、プラグ軸体（１）をフォンジャック（５２）内から取外し、プラグ軸体（１）及びワイピング掃除具（２）を端末本体（５１）から分離する。続いて、携帯者は、ワイピング体（８）の裏面側ワイピング布（１１）を端末本体（５１）の外装体（５５）表面に摺接させて、タッチパネル（５４）を含む端末本体（５１）表面の汚れ（Ｄ）を拭き取る。
プラグ軸体（１）は、合成樹脂で形成しているので、ワイピング体（８）による汚れ拭き取り中に、端末本体（５１）の外装体（５５）及びタッチパネル（５４）に接触しても、タッチパネル（５４）等を傷つけることもない。
【００３７】
図６において、端末本体（５１）の携帯者は、タッチパネル（５４）を含む端末本体（５１）表面の汚れを拭き取ると、再び、プラグ軸体（１）をフォンジャック（５２）内に挿入して、プラグ軸体（１）及びワイピング掃除具（２）を端末本体（５１）に保持する。プラグ軸体（１）は、フォンジャック（５２）内の挿入に伴って、フォンジャック（５２）内を端末本体（５１）外側から閉塞する。
【００３８】
このように、第１実施形態のダミープラグ（Ｘ１）では、プラグ軸体（１）をフォンジャック（５２）内に挿入した状態、又はプラグ軸体（１）をフォンジャック（５２）内から取外した状態において、ワイピング掃除具（２）でタッチパネル（５４）を含む端末本体（５１）表面の汚れを拭き取ることができる。
【００３９】
＜第２実施形態＞
第２実施形態のダミープラグ（Ｘ２）について、図９乃至図１１を参照して説明する。なお、図９乃至図１１において、図１乃至図８と同一符号は同一部材、同一構成であるので、その詳細な説明は省略する。
【００４０】
図９において、第２実施形態のダミープラグ（Ｘ２）は、プラグ軸体（１）及びワイピング清掃具（２）を備えてなる。
【００４１】
ワイピング清掃具（２）は、図９に示すように、所謂、携帯ストラップとして構成され、ストラップ体（７）及びワイピング体（８）を備えてなる。
ストラップ体（７）は、螺旋線材（１９）を有し、螺旋線材（１９）は、弾性を有する樹脂を螺旋状に巻回して形成される。螺旋線材（９）は、軸方向に伸縮自在である。
螺旋線材（９）の一軸端側は、プラグ軸体（１）のストラップ用取付穴（６）に取付けられる。
ワイピング体（８）は、図９に示すように、ストラップ体（７）の螺旋線材（１９）の他端側に連結され、螺旋線材（１９）を通してプラグ軸体（１）に吊下げられる。
【００４２】
端末本体（５１）の携帯者は、第１実施形態のダミープラグ（Ｘ１）と同様として、プラグ軸体（１）をフォンジャック（５２）内に挿入することで、プラグ軸体（１）及びワイピング掃除具（２）を端末本体（１）に保持する。
これにより、プラグ軸体（１）は、フォンジャック（５２）内に挿入されると、電極端子（５２Ａ）に保持され、しかも各電極端子（５２Ｂ）、（５２Ｃ）間に挟まれて圧接保持されるので、フォンジャック（５２）内から容易に抜け落ちない。また、プラグ軸体（１）は、フォンジャック（５２）内の挿入に伴って、フォンジャック（５２）内を端末本体（５１）外側から閉塞するので、埃や塵等はジャック用開口穴（５６）からフォンジャック（５２）内に侵入しない（図６参照）。
【００４３】
図１０において、ワイピング掃除具（２）は、プラグ軸体（１）をフォンジャック（５２）内に挿入すると、端末本体（５１）外側に配置される。
ワイピング体（８）は、プラグ軸体（１）及びストラップ体（７）の螺旋線材（１９）を通じて、端末本体（１）に吊下げられる。
これにより、ダミープラグ（Ｘ２）のプラグ軸体（１）及びワイピング掃除具（２）は、端末本体（５１）に保持され、携帯者は、ワイピング掃除具（２）を端末本体（５１）とは別に、携帯する必要がなくなる。
端末本体（５１）の携帯者は、ダミープラグ（Ｘ２）のプラグ軸体（１）及びワイピング掃除具（２）を端末本体（５１）に保持することで、端末本体（５１）にダミープラグ（Ｘ２）を一体化して携帯できる。
【００４４】
図１０において、端末本体（５１）の携帯者は、プラグ軸体（１）をフォンジャック（５２）内に挿入した状態において、ワイピング掃除具（２）のワイピング体（８）を把持する。続いて、携帯者は、ワイピング体（８）を通してストラップ体（７）の螺旋線材（１９）を伸縮しつつ、ワイピング体（８）の裏面側ワイピング布（１１）を端末本体（５１）の外装体（５５）前側表面に摺接させて、タッチパネル（５４）を含む端末本体（５１）表面の汚れ（Ｄ）を拭き取る。
ワイピング体（８）は、図１０に示すように、プラグ軸体（１）を基点としてストラップ体（７）の伸縮線材（１９）の伸縮範囲で、裏側ワイピング布（１１）を任意の位置に配置して、タッチパネル（５４）表面、及び端末本体（５１）の外装体（５５）表面に摺接できる。
これにより、プラグ軸体（１）をフォンジャック（５２）内から取外すことなく、ワイピング体（８）の裏面側ワイピング布（１１）で汚れ（Ｄ）を拭き取れる。また、汚れ拭き取り中においても、プラグ軸体（１）でフォンジャック（５２）内を端末本体（５１）外側から閉塞できるので、フォンジャック（５２）内に埃や塵等が侵入することを防止できる。
【００４５】
図１１において、端末本体（５１）の携帯者は、プラグ軸体（１）をフォンジャック（５２）内から取外し、プラグ軸体（１）及びワイピング掃除具（２）を端末本体（５１）から分離する。続いて、携帯者は、ワイピング体（８）の裏面側ワイピング布（１１）を端末本体（５１）の外装体（５５）表面に摺接させて、タッチパネル（５４）を含む端末本体（５１）表面の汚れ（Ｄ）を拭き取る。
【００４６】
端末本体（５１）の携帯者は、タッチパネル（５４）を含む端末本体（５１）表面の汚れ（Ｄ）を拭き取ると、再び、プラグ軸体（１）をフォンジャック（５２）内に挿入して、プラグ軸体（１）及びワイピング掃除具（２）を端末本体（５１）に保持する。プラグ軸体（１）は、フォンジャック（５２）内の挿入に伴って、フォンジャック（５２）内を端末本体（５１）外側から閉塞する（図６参照）。
【００４７】
このように、第２実施形態のダミープラグ（Ｘ２）では、プラグ軸体（１）をフォンジャック（５２）内に挿入した状態、又はプラグ軸体（１）をフォンジャック（５２）内から取外した状態において、ワイピング掃除具（２）でタッチパネル（５４）を含む端末本体（５１）表面の汚れを拭き取ることができる。
【００４８】
＜第３実施形態＞
第３実施形態のダミープラグ（Ｘ３）について、図１２乃至図１４を参照して説明する。なお、図１２乃至図１４において、図１乃至図８と同一符号は同一部材、同一構成であるので、その詳細な説明は省略する。
【００４９】
図１２において、第３実施形態のダミープラグ（Ｘ３）は、プラグ軸体（１）及びワイピング掃除具（２）を備えてなる。
【００５０】
図１２において、プラグ軸体（１）は、取付板体（２１）を有し、取付板体（２１）は合成樹脂で第１軸体（３）に一体形成されている。取付板体（２１）は、例えば、円形状に形成され、プラグ軸体（１）の一軸端に配置され、プラグ軸体（１）の軸方向に直交する方向に延設されている。
【００５１】
ワイピング掃除具（２）は、図１２に示すように、ワイピング布（２２）を含んで構成される。ワイピング布（２２）は、ポリエステル／ナイロン等の化学繊維又は天然繊維で、単糸繊度：１ｄｔｅｘ以下の極細繊維で構成される。なお、ワイピング布（２２）は、不織布、織物布で構成できる。ワイピング布（２２）は、プラグ軸体（１）の取付板体（２１）表面に取付けられている。
なお、ワイピング掃除具（２）において、ワイピング布（２２）は、クッション材（図示しない）を取付板体（２１）間に介在して、取付板体（２１）に取付けることもできる。
【００５２】
端末本体（５１）の携帯者は、第１実施形態のダミープラグ（Ｘ１）と同様として、プラグ軸体（１）をフォンジャック（５２）内の挿入することで、プラグ軸体（１）及びワイピング掃除具（２）のワイピング布（２２）を端末本体（１）に保持する。プラグ軸体（１）は、チップ軸体（５）側からフォンジャック（５２）内に挿入される。
これにより、プラグ軸体（１）は、フォンジャック（５２）内に挿入されると、電極端子（５２Ａ）に保持され、しかも各電極端子（５２Ｂ）、（５２Ｃ）間で挟まれて圧接保持されるので、フォンジャック（５２）内から容易に抜け落ちない。また、プラグ軸体（１）は、フォンジャック（５２）内の挿入に伴って、フォンジャック（５２）内を端末本体（５１）外側から閉塞するので、埃や塵等はジャック用開口穴（５６）からフォンジャック（５２）内に侵入しない（図６参照）。
【００５３】
図１３において、プラグ軸体（３）の取付板体（２１）は、プラグ軸体（１）をフォンジャック（５２）内に挿入すると、端末本体（５１）外側に配置される。
また、ワイピング掃除具（２）のワイピング布（２２）は、取付板体（２１）表面に取付けられるので、端末本体（５１）外側に配置される。
これより、ダミープラグ（Ｘ３）のプラグ軸体（１）及びワイピング布（２２）は、端末本体（５１）に保持され、携帯者は、ワイピング布（２２）を端末本体（５１）とは別に、携帯する必要がなくなる。端末本体（５１）の携帯者は、ダミープラグ（Ｘ３）のプラグ軸体（１）及びワイピング布（２２）を端末本体（５１）に保持することで、端末本体（５１）にダミープラグ（Ｘ３）を一体化して携帯できる。
【００５４】
図１４において、端末本体（５１）の携帯者は、プラグ軸体（５１）をフォンジャック（５２）内から取外し、プラグ軸体（１）及びワイピング布（２２）を端末本体（５１）から分離する。
続いて、端末本体（５１）の携帯者は、プラグ軸体（１）の各軸体（３）〜（５）側を把持し、取付板体（２１）表面のワイピング布（２２）を端末本体（５１）の外装体（５５）表面に摺接させて、タッチパネル（５４）を含む端末本体（５１）表面の汚れ（Ｄ）を拭き取る。
【００５５】
端末本体（５１）の携帯者は、タッチパネル（５４）を含む端末本体（５１）表面の汚れを拭き取ると、再び、プラグ軸体（１）をフォンジャック（５２）内に挿入して、プラグ軸体（１）及びワイピング掃除具（２）を端末本体（５１）に保持する。プラグ軸体（１）は、フォンジャック（２）内の挿入に伴って、フォンジャック（５２）内を端末本体（５１）外側から閉塞する（図６参照）。
【００５６】
第１乃至第３実施形態のダミープラグ（Ｘ１）〜（Ｘ３）において、携帯通信端末（
）は、タッチパネル（５４）を備えるスマートフォンについて説明したが、これに限定されるものでなく、例えば、タッチパネル及びＰＤＡ機能を有しない、携帯電話等に適用しても良い。携帯電話は、一般的に、視覚表示ディスプレイを有し、画像等の視覚情報を表示する視覚表示パネルを端末本体表面に配置している。
ダミープラグ（Ｘ１）〜（Ｘ３）のワイピング掃除具（２）におて、ワイピング布（１１）、（２２）で視覚表示パネルを含む端末本体表面の汚れを拭き取ることができる。また、ダミープラグ（Ｘ１）〜（Ｘ３）のプラグ軸体を携帯電話のフォンジャック内に挿入することで、プラグ軸体及びワイピング掃除具を端末本体に保持でき、携帯者は、ワイピング掃除具を端末本体とは別に、携帯する必要がなくなる。更に、ダミープラグ（Ｘ１）〜（Ｘ３）のプラグ軸体を携帯電話のフォンジャック内に挿入することで、フォンジャック内を端末本体外側から閉塞できる。
【００５７】
第１及び第２実施形態のダミープラグ（Ｘ１）、（Ｘ２）において、ワイピング掃除具（２）は、所謂、携帯ストラップとして構成している。ワイピング掃除具（２）のストラップ体（７）は、図１及び図９に示す構成に限定されず、ワイピング体（８）をプラグ軸体（１）に吊下げる構成であれば良い。例えば、ストラップ体（７）の紐状材（９）に、螺旋線材（１９）を連結し、紐状材（９）をプラグ軸体（１）に取付け、螺旋線材（１９）にワイピング体（８）を連結する構成を採用できる。
また、ワイピング体（８）は、プラグ軸体（１）に吊下げられるので、プラグ軸体（１）をフォンジャック（５２）内に挿入した状態において、ワイピング体（８）の重量によってプラグ軸体（１）がフォンジャック（５２）内から抜け落ちないものとすることが好ましい。これは、フォンジャック（５２）の各電極端子（５２Ａ）〜（５３Ｃ）の付勢力（バネ力）との関係も考慮して、ワイピング体（８）の重量等を設定する。
【００５８】
第１実施形態のダミープラグ（Ｘ１）の紐状材（９）の長さ範囲、又は第２実施形態のダミープラグ（Ｘ２）の螺旋線材（１９）の伸縮範囲を適宜変更することで、プラグ軸体（１）をフォンジャック（５２）内に挿入した状態において、端末本体（５１）全表面の汚れを拭取る構成とすることもできる。
【００５９】
第１乃至第３実施形態のダミープラグ（Ｘ１）〜（Ｘ３）において、プラグ軸体（１）は金属で形成しても良い。
【産業上の利用可能性】
【００６０】
本考案は、携帯電話、スマートフォン、タブレットＰＣ及び携帯ゲーム機等の携帯通信端末において、端末本体表面の汚れを拭き取るのに好適である。
【符号の説明】
【００６１】
Ｘ１  ダミープラグ
１  プラグ軸体
２  ワイピング掃除具
５１  端末本体
５２  フォンジャック
５４  タッチパネル
【図１】
0003173301.tif 000003
【図２】
0003173301.tif 000004
【図３】
0003173301.tif 000005
【図４】
0003173301.tif 000006
【図５】
0003173301.tif 000007
【図６】
0003173301.tif 000008
【図７】
0003173301.tif 000009
【図８】
0003173301.tif 000010
【図９】
0003173301.tif 000011
【図１０】
0003173301.tif 000012
【図１１】
0003173301.tif 000013
【図１２】
0003173301.tif 000014
【図１３】
0003173301.tif 000015
【図１４】
0003173301.tif 000016